(57)【特許請求の範囲】
【請求項１】
ＩＳＤＮ網にそれぞれ第１のＩＳＤＮ回線を介して接続された端末に断線感知対応機能を付加して成る１つ以上の断線感知対応端末と少なくとも１本以上の第２のＩＳＤＮ回線を介して接続された断線監視装置とを備え、
断線感知対応端末は、前記ＩＳＤＮ網のパケット交換網上で相手先選択接続方式による論理チャネルを通じて前記断線検知装置と接続するとされ、前記断線感知対応機能として自己端末に関する所定情報を前記論理チャネルを通じて前記断線検知装置記に送信する機能を有しており、
前記断線監視装置は、前記各論理チャネル毎に送信されてくる前記所定情報をその論理チャネルに対応させて管理すると共に、前記ＩＳＤＮ網から前記論理チャネルを通じて送信されてくるその論理チャネルに関する切断情報を受信すると、その切断情報から、その論理チャネルの切断が正常に行われたものか否かを読み取り、その切断が正常に行われたものではない場合は、前記第１のＩＳＤＮ回線のいずれかで断線が生じたと判断し、前記所定情報と前記論理チャネルとの前記対応から、その切断情報を受信した前記論理チャネルに対応する前記所定情報を検索し、検索した前記所定情報に基づき、断線した前記第１のＩＳＤＮ回線を特定し、この特定された第１のＩＳＤＮ回線において断線が生じた旨を所定のシステムに通知することを特徴とするＩＳＤＮ回線の断線検知システム。
【請求項２】
前記断線監視装置は、前記第２のＩＳＤＮ回線毎に接続されて複数の前記断線感知対応端末に対して前記パケット交換網上の送受信を行う能力を有する多重パケット通信装置を備えることを特徴とする請求項１に記載のＩＳＤＮ回線の断線検知システム。
【請求項３】
前記各断線感知対応端末は、前記断線感知対応機能として、その断線感知対応端末と接続する前記第１のＩＳＤＮ回線における断線を検知する機能を有し、その断線を検知すると、前記パケット交換網を通じて前記断線監視装置にパケットを送信し、前記論理チャネルを再確立することを特徴とする請求項１又は請求項２に記載のＩＳＤＮ回線の断線検知システム。
【請求項４】
前記断線監視装置は、前記各論理チャネルを通じて新たに前記所定情報を受信する毎にその新たな所定情報をその論理チャネルに対応させ直して管理することを特徴とする請求項１ないし請求項３のいずれかに記載のＩＳＤＮ回線の断線検知システム。
【請求項５】
前記断線監視装置は、前記第２のＩＳＤＮ回線における断線を検知する機能を有し、その断線を検知すると、その第２のＩＳＤＮ回線において断線が生じた旨の信号を前記所定のシステムに送信することを特徴とする請求項１ないし請求項４のいずれかに記載のＩＳＤＮ回線の断線検知システム。
【請求項６】
前記断線感知対応端末は、前記断線感知対応機能として、前記ＩＳＤＮ網から前記論理チャネルを通じて送信されてくるその論理チャネルに関する切断情報を受信すると、その切断情報から、その論理チャネルの切断が正常に行われたものか否かを読み取り、正常に行われたものではない場合は、前記第２のＩＳＤＮ回線において断線が生じたと判断し、前記パケット交換網を通じて前記断線監視装置にパケットを送信し、前記論理チャネルを再確立することを特徴とする請求項１ないし請求項５のいずれかに記載のＩＳＤＮ回線の断線検知システム。
【請求項７】
前記断線感知対応端末は、前記パケットに自己端末に関する前記所定情報を格納して前記断線監視装置に送信することを特徴とする請求項３又は請求項６に記載のＩＳＤＮ回線の断線検知システム。
【発明の詳細な説明】
【０００１】
【発明の属する技術分野】
本発明は、ＩＳＤＮ回線の断線を検知するＩＳＤＮ回線の断線検知システムに関するものである。
【０００２】
【従来の技術】
従来のＩＳＤＮ回線の断線検知システムでは、断線監視装置と各端末とは、ＩＳＤＮのパケット交換網上で相手先固定接続により回線接続されており、相手先固定接続とすることにより、各回線にどの端末が接続されているかを特定できるようにしていた。
【０００３】
【発明が解決しようとする課題】
しかしながら、ＩＳＤＮのパケット交換網上で相手先固定接続によって断線監視装置と各端末とを回線接続する場合、予め断線監視装置と各端末とをつなぐ各論理チャネル（正確には論理チャネル番号）をパケット交換網に登録する必要があるため、その登録に手間がかかるほか、その端末を配置換えした際にも、論理チャネルを登録し直す必要があり、その手間がかかる欠点があった。
【０００４】
そこで、この発明の課題は、相手先固定接続によって断線監視装置と各端末とを接続しなくても回線の接続相手である端末を識別でき、しかも端末をＩＳＤＮに接続する際にＩＳＤＮ網に論理チャネルを登録する必要がなくて低コストなＩＳＤＮ回線の断線検知システムを提供することにある。
【０００５】
【課題を解決するための手段】
上記課題を解決するためには、この請求項１に記載の発明は、ＩＳＤＮ網にそれぞれ第１のＩＳＤＮ回線を介して接続された端末に断線感知対応機能を付加して成る１つ以上の断線感知対応端末と少なくとも１本以上の第２のＩＳＤＮ回線を介して接続された断線監視装置とを備え、断線感知対応端末は、前記ＩＳＤＮ網のパケット交換網上で相手先選択接続方式による論理チャネルを通じて前記断線検知装置と接続するとされ、前記断線感知対応機能として自己端末に関する所定情報を前記論理チャネルを通じて前記断線検知装置記に送信する機能を有しており、前記断線監視装置は、前記各論理チャネル毎に送信されてくる前記所定情報をその論理チャネルに対応させて管理すると共に、前記ＩＳＤＮ網から前記論理チャネルを通じて送信されてくるその論理チャネルに関する切断情報を受信すると、その切断情報から、その論理チャネルの切断が正常に行われたものか否かを読み取り、その切断が正常に行われたものではない場合は、前記第１のＩＳＤＮ回線のいずれかで断線が生じたと判断し、前記所定情報と前記論理チャネルとの前記対応から、その切断情報を受信した前記論理チャネルに対応する前記所定情報を検索し、検索した前記所定情報に基づき、断線した前記第１のＩＳＤＮ回線を特定し、この特定された第１のＩＳＤＮ回線において断線が生じた旨を所定のシステムに通知するＩＳＤＮ回線の断線検知システムものである。
【０００６】
請求項２に記載の発明は、請求項１に記載のＩＳＤＮ回線の断線検知システムであって、前記断線監視装置は、前記第２のＩＳＤＮ回線毎に接続されて複数の前記断線感知対応端末に対して前記パケット交換網上の送受信を行う能力を有する多重パケット通信装置を備えるものである。
【０００７】
請求項３に記載の発明は、請求項１又は請求項２に記載のＩＳＤＮ回線の断線検知システムであって、前記各断線感知対応端末は、前記断線感知対応機能として、その断線感知対応端末と接続する前記第１のＩＳＤＮ回線における断線を検知する機能を有し、その断線を検知すると、前記パケット交換網を通じて前記断線監視装置にパケットを送信し、前記論理チャネルを再確立するするものである。
【０００８】
請求項４に記載の発明は、請求項１ないし請求項３のいずれかに記載のＩＳＤＮ回線の断線検知システムであって、前記断線監視装置は、前記各論理チャネルを通じて新たに前記所定情報を受信する毎にその新たな所定情報をその論理チャネルに対応させ直して管理するものである。
【０００９】
請求項５に記載の発明は、請求項１ないし請求項４のいずれかに記載のＩＳＤＮ回線の断線検知システムであって、前記断線監視装置は、前記第２のＩＳＤＮ回線における断線を検知する機能を有し、その断線を検知すると、その第２のＩＳＤＮ回線において断線が生じた旨の信号を前記所定のシステムに送信するものである。
【００１０】
請求項６に記載の発明は、請求項１ないし請求項５のいずれかに記載のＩＳＤＮ回線の断線検知システムであって、前記断線感知対応端末は、前記断線感知対応機能として、前記ＩＳＤＮ網から前記論理チャネルを通じて送信されてくるその論理チャネルに関する切断情報を受信すると、その切断情報から、その論理チャネルの切断が正常に行われたものか否かを読み取り、正常に行われたものではない場合は、前記第２のＩＳＤＮ回線において断線が生じたと判断し、前記パケット交換網を通じて前記断線監視装置にパケットを送信し、前記論理チャネルを再確立するものである。
【００１１】
請求項７に記載の発明は、請求項３又は請求項６に記載のＩＳＤＮ回線の断線検知システムであって、前記断線感知対応端末は、前記パケットに自己端末に関する前記所定情報を格納して前記断線監視装置に送信するものである。
【００１２】
【発明の実施の形態】
以下、本発明の第１実施形態を図１に基づいて説明する。図１は、本発明の第１実施形態に係るＩＳＤＮ回線の断線検知システムが適用された防犯監視システムの概略図である。
【００１３】
このＩＳＤＮ回線の断線検知システムが適用された防犯監視システム１は、各場所に配置されるＡＴＭ／ＣＤ機などの端末に装備された防犯カメラにより撮影した画像を、ＩＳＤＮ回線を通じて、画像集中監視センターに送信し、受信した画像を画像集中監視センターにおいて監視することによりＡＴＭ／ＣＤ機の防犯監視を行う防犯監視システムにおいて、そのＩＳＤＮ回線の断線を検知する断線感知対応機能が付加されたものである。
【００１４】
従って、かかる防犯監視システム１は、図１に示すように、ＩＳＤＮ網（サービス総合デジタル通信網）２に第１のＩＳＤＮ回線３を介して接続された上記端末に断線感知対応機能が付加されて成る断線感知対応端末４と少なくとも１本以上の第２のＩＳＤＮ回線５（図１では１本の場合が図示される）を介して接続された画像集中監視センター１３とから主構成される。そして、画像集中監視センター１３は、断線監視装置８を備え、この断線監視装置８を介して第２のＩＳＤＮ回線５と接続されており、これら断線感知対応端末４及び断線監視装置８がともに相手先選択接続方式によりＩＳＤＮ網２のＤチャネルのパケット交換網（例えばＩＮＳ−Ｐ）に接続されて、かかる防犯監視システム１が構築されている（いわゆるＤチャネルパケットサービスを活用して構築される）。なお、図１において９及び１０は交換機を示し、ＤＳＵはデジタル・サービス・ユニットを示す。
【００１５】
なお、相手先選択接続方式によりＩＳＤＮ網２のＤチャネルのパケット交換網に接続された断線感知対応端末４及び断線監視装置８により断線検知システムが構成されている。
【００１６】
また、この断線検知システムでは、各断線感知対応端末４と断線監視装置８とが上記パケット交換網において相手先選択接続方式によりそれぞれ論理チャネル７を確立している状態（論理チャンネル７を通じて互いに接続する状態）で、例えば第１のＩＳＤＮ回線３ａにおいて論理チャネル７ａが例えば接続相手である断線感知対応端末４ａの電源断や第１のＩＳＤＮ回線３ａの物理的断線などによって不通状態になると、第１のＩＳＤＮ回線３ａと直接に接続する交換機９ａがその論理チャネル７ａの不通状態を検知して、その接続相手である断線監視装置８と直接に接続する交換機１０から論理チャネル７ａを通じて断線監視装置８に、その論理チャネル７ａの切断が正常に行われていない旨（即ち不正な切断が行われた旨、論理チャネルに関する切断情報）を表示したＣＩパケット（切断指示パケット）が送信され、逆に第２のＩＳＤＮ回線５において論理チャネル７ａが上述のような原因により不通状態になると、第２のＩＳＤＮ回線５と直接に接続する交換機１０が論理チャネル７ａの不通状態を検知して、その接続相手である断線感知対応端末４ａと直接に接続する交換機９ａから論理チャネル７ａを通じて断線感知対応端末４ａに、その論理チャネル７ａの切断が正常に行われていない旨（論理チャネルに関する切断情報）を表示したＣＩパケットが送信されるＩＳＤＮ網２の呼制御信号の送信サービスが後述するように断線検知に活用されている。なお、この呼制御信号の送信サービスでは、その論理チャネル７ａの切断が正常に行われていれば、その旨を表示したＣＩパケットが送信されるようになっている。この呼制御信号の送信サービスは周知技術であるので、詳細な説明は省略する。
【００１７】
各断線感知対応端末４は、以下において説明する断線感知対応機能を有している。
【００１８】
まず、各断線感知対応端末４には、それぞれ自己端末に関するＩＤ情報（所定情報、例えばその端末４を識別する識別情報やその端末４の配置場所など）が予め登録されており、そのＩＤ情報をパケットに格納して（これを以後、ＩＤパケットと呼ぶ）上記Ｄチャネルを通じて断線監視装置８に送信する機能を有している。このＩＤパケットの送信により断線監視装置８との間でＤチャネル上の論理チャネル７を確立すると共に（即ち論理チャンネル７を通じて互いに接続すると共に）、そのＩＤパケットに格納されたＩＤ情報により断線監視装置８に対してどの論理チャネル７にどの断線感知対応端末４が接続されているかを認識させるようになっている。
【００１９】
なお、後述するように、断線監視装置８は、例えば、そのＩＤパケットを受信すると、その受信に対する応答パケットをその断線感知対応端末４に送信するようになっており、その断線感知対応端末４は、その応答パケットを受信することにより断線監視装置８との間で論理チャネル７が確立したことを確認するようになっている。
【００２０】
また、上記のＩＤパケットの送信は、例えば予め各断線感知対応端末４に断線監視装置８のアドレスが登録されており、各断線感知対応端末４が、第１のＩＳＤＮ回線３を介してＩＳＤＮ網２の交換機９に接続されると、自動的に断線監視装置８のアドレスを送信先アドレスとして断線監視装置８に送信するように設定されているか、若しくは例えば断線感知対応端末４に図示されない所定の操作入力手段が備えられており、この操作入力手段からの操作指令に従って送信するようになっている。
【００２１】
また、各断線感知対応端末４と断線監視装置８とを接続する各論理チャネル７は一度確立されると原則的に常時確立した状態が維持されるようになっており、後述するように、この断線検知システムでは、その論理チャネル７が例えば第１のＩＳＤＮ回線３において不正な切断（例えばその第１のＩＳＤＮ回線３が物理的に切断されることを原因とするもの）が行われた際に、それを検知したＩＳＤＮ網２から断線監視装置８に対して不正な切断が行われた旨を表示した上記ＣＩパケットが送信されてくることを断線監視装置８において常時監視することにより第１のＩＳＤＮ回線３において断線が生じたことを検知するようになっている。つまり、論理チャネル７の確立が維持される状態が第１のＩＳＤＮ回線３に対する断線監視状態となっている。
【００２２】
また、各断線感知対応端末４は、その断線感知対応端末４と接続する第１のＩＳＤＮ回線３における断線を検知する機能を有し、その断線を検知すると、上記ＩＤパケットを断線監視装置８に定期的に送信することを開始し、その断線状態が例えば復旧作業員により復旧されて、そのＩＤパケットが断線監視装置８に受信され、この受信に対して断線監視装置８から送信される後述する応答パケットを受信すると、そのＩＤパケットの送信を停止するようになっている。
【００２３】
これにより、その断線が復旧されると共に自動的に論理チャネル７が再確立して断線監視状態が自動的に回復すると共に、そのＩＤパケットに格納されたＩＤ情報によりその論理チャネル７にどの断線感知対応端末４が接続されているかを断線監視装置８に再確認させるようになっている。
【００２４】
また、各断線感知対応端末４は、その断線感知対応端末４と断線監視装置８とを接続する当該論理チャネル７が第２のＩＳＤＮ回線５において不通状態となった際に、ＩＳＤＮ網２から当該論理チャネル７を通じてその断線感知対応端末４に送信される上記ＣＩパケットを受信すると、そのＣＩパケットから当該論理チャネル７の切断が正常に行われたか否かを読み取り、その切断が正常に行われていない場合に、断線が生じたと判断し、上記ＩＤパケットを断線監視装置８に定期的に送信することを開始する機能を有している。そして、上述したと同じように断線監視装置８から送信される応答パケットを受信すると、そのＩＤパケットの送信を停止するようになっている。なお、そのＣＩパケットからその論理チャネル７の切断が正常に行われた旨を読み取った場合は、断線が生じたと判断されずに断線監視状態が解除されることとなる。
【００２５】
なお、各断線感知対応端末４は、各断線感知対応端末４に備えられた所定の操作入力手段により、その論理チャネル７が確立する状態で、その論理チャネル７を通じてＩＳＤＮ網２に対してその論理チャネル７の切断を正常に行う旨のパケットを送信して、その論理チャネル７の切断を正常に行う機能を有している。即ち、論理チャネル７の切断を正常に行う旨の上記パケットがＩＳＤＮ網２に受信されると、ＩＳＤＮ網２から当該論理チャネル７を通じて断線監視装置８に、論理チャネル７の切断が正常に行われた旨を表示した上記ＣＩパケットが送信され、このＣＩパケットが断線監視装置８に受信されることにより、当該論理チャネル７の切断が正常に行われることとなる。
【００２６】
以上において説明した機能が、各断線感知対応端末４に付加された断線感知対応機能である。
【００２７】
また、各断線感知対応端末４は、防犯カメラを備えており、その防犯カメラにより撮影した画像をパケットに格納して（これを以後、画像パケットと呼ぶ）、当該論理チャネル７を通じて断線監視装置８即ち画像集中監視センター１３に送信する機能も有している。
【００２８】
断線監視装置８は、第２のＩＳＤＮ回線５ごとに接続された多重パケット通信装置１１と、これら多重パケット通信装置１１（図１では例えば多重パケット通信装置１１を１つ備える場合が図示される）から送られるデータの内容を読み取り断線が生じたか否かを監視する回線監視装置１２とを備えて構成される。
【００２９】
多重パケット通信装置１１は、それ１台で第２のＩＳＤＮ回線５を一本管理し、例えば最大で１２４の断線感知対応端末４に対してＤチャネルパケット（Ｘ．２５パケット）の送受信を行う能力を有している。この多重パケット通信装置１１は、周知技術であるので詳細な説明は省略する。
【００３０】
そして、各多重パケット通信装置１１は、その多重パケット通信装置１１と接続する第２のＩＳＤＮ回線５を通じてパケット（ＩＤパケット、ＣＩパケットないし画像パケットなど）を受信すると、画像パケットの場合は、その画像パケットに格納された画像データを上位のシステム１４に送信する一方（なおその画像データは上位のシステム１４において画像生成され監視に用いられる）、ＩＤパケットないしＣＩパケットの場合は、それらパケット内のデータを接続ケーブル１５を通じて回線監視装置１２に送信し、ＩＤパケットを受信した場合には、更にその受信に対する応答を表現する応答パケットを、そのＩＤパケットを受信した論理チャネル７を通じて断線感知対応端末４に送信するようになっている。
【００３１】
ここで、多重パケット通信装置１１から回線監視装置１２に送信される上記データとは、ＩＤパケットの場合は、例えば上記ＩＤ情報とその論理チャネル７の論理チャネル番号等であり（以下、ＩＤパケットに関するデータという）、ＣＩパケットの場合は、例えば論理チャネル７の切断が正常に行われたか否かを表現する情報とその論理チャネル７の論理チャネル番号等である（以下、ＣＩパケットに関するデータという）。
【００３２】
また、各多重パケット通信装置１１は、その多重パケット通信装置１１に接続する第２のＩＳＤＮ回線５における断線を検知する機能を有し、その断線を検知すると、例えば、断線が生じた旨の信号と共にその多重パケット通信装置１１を識別する識別信号とを回線監視装置１２に送信するようになっており、これにより、第２のＩＳＤＮ回線５の断線監視を行っている。なお、多重パケット通信装置１１の識別信号と共に送信することにより、どの多重パケット通信装置１１に接続する第２のＩＳＤＮ回線５において断線が生じたのかを特定できるようにしている。なお、多重パケット通信装置１１が１つしかない場合は、識別信号は無くても構わない。
【００３３】
回線監視装置１２は、多重パケット通信装置１１から上記のＩＤパケットに関するデータを受信すると、そのデータに含まれるＩＤ情報と論理チャネル番号とを読み取り、そのＩＤ情報と論理チャネル番号とを対応させて対応表を生成し、その対応表に基づいて各論理チャネル７にどの断線感知対応端末４が接続されているかを管理するようになっている。そして、回線監視装置１２は、その管理された各論理チャネル番号と同じ論理チャネル番号が付された新たなＩＤパケットに関するデータを多重パケット通信装置１１から受信すると、その論理チャネル番号に対応付けられた古いＩＤ情報を、その新たなＩＤパケットに関するデータから得られる新たなＩＤ情報に更新するようになっている。
【００３４】
また、回線監視装置１２は、多重パケット通信装置１１から上記のＣＩパケットに関するデータを受信すると、そのデータから論理チャネル番号を読み取り、どの論理チャネル７（例えば論理チャネル７ａとする）通じてそのＣＩパケットを受信したのかを確認すると共に、その論理チャネル７ａの切断が正常に行われたか否かを表現する情報を読み取り、その論理チャネル７ａの切断が正常に行われてない場合は、第１のＩＳＤＮ回線３のどれかに断線が生じたと判断し、上記の対応表に照らし合わせてその論理チャネル７ａに対応したＩＤ情報を検索し、例えば、検索されたＩＤ情報からその論理チャネル７ａに接続された断線感知対応端末４ａを特定し、その断線感知対応端末４ａに接続するＩＳＤＮ回線が断線したとみなして、切断した第１のＩＳＤＮ回線３ａを特定し、その第１のＩＳＤＮ回線３ａにおいて断線が生じた旨の信号を断線感知対応機能１４に送信することにより、断線が生じた旨を知らせるようになっている。なお、上位のシステム１４において、その断線が生じた旨の信号が受信されると、上位のシステム１４により断線が生じた旨が例えば警備員に報知され、その警備員によって断線が復旧される。
【００３５】
なお、上記において、そのデータからその論理チャネル７ａの切断が正常に行われた旨を読み取った場合は、断線が生じたと判断されずに断線監視状態が解除されることとなる。
【００３６】
また、回線監視装置１２は、多重パケット通信装置１１から上記の第２のＩＳＤＮ回線５において断線が生じた旨の信号と多重パケット通信装置１１を識別する識別信号とを受信すると、その識別信号から断線を検知した多重パケット通信装置１１を特定し、特定した多重パケット通信装置１１に接続する第２のＩＳＤＮ回線５において断線が生じたと判断し、その第２のＩＳＤＮ回線５において断線が生じた旨の信号を断線感知対応機能１４に送信することにより断線を知らせるようになっている。この場合も、上位のシステム１４において、その断線が生じた旨の信号が受信されると、上位のシステム１４により断線が生じた旨が例えば警備員に報知され、その警備員によって断線が復旧される。
【００３７】
なお、断線監視装置１２は、図示されない操作入力手段を備えており、この操作入力手段からの操作指令によって多重パケット通信装置１１を制御して、当該論理チャネル７の切断を正常に行う旨のパケットを当該論理チャネル７を通じてＩＳＤＮ網２に送信して当該論理チャネル７の切断を正常に行う機能を有している。即ち、当該論理チャネル７の切断を正常に行う旨の上記パケットがＩＳＤＮ網２に受信されると、ＩＳＤＮ網２から当該論理チャネル７を通じて断線感知対応端末４に、論理チャネル７の切断が正常に行われた旨を表示した上記ＣＩパケットが送信され、このＣＩパケットが断線監視装置８に受信されることにより、当該論理チャネル７の切断が正常に行われることとなる。
【００３８】
次に、上記の断線検知システム１の動作を説明する。
【００３９】
＜断線感知対応端末がＩＳＤＮ網に接続されて断線監視状態となるまでの動作＞
まず、断線感知対応端末４が第１のＩＳＤＮ回線３を介してＩＳＤＮ網２の交換機９に接続された後、その断線感知対応端末４は、自動的に又は上記操作入力手段の操作指令に従ってＩＤパケットをＤチャネルを通じて断線監視装置８に送信する。
【００４０】
断線監視装置８では、そのＩＤパケットを多重パケット通信装置１１を介して受信する。これにより断線感知対応端末４と断線監視装置８との間で論理チャネル７が確立される。そして、多重パケット通信装置１１では、その受信に対する応答パケットを、そのＩＤパケットを受信した論理チャネル７を通じてその断線感知対応端末４に送信すると共に（なお断線感知対応端末４はその応答パケットを受信することにより論理チャネル７が確立したことを確認する）、受信したＩＤパケットからＩＤ情報とその論理チャネル７の論理チャネル番号等（ＩＤパケットに関するデータ）とを読み取り、それらを接続ケーブル１５を通じて回線監視装置１２に送信し、それを受信した回線監視装置１２は、そのＩＤパケットに関するデータに含まれるＩＤ情報と論理チャネル番号とを読み取り、そのＩＤ情報をその論理チャネル番号に対応させて対応表を生成してそれらＩＤ情報と論理チャネル番号とを管理する。
【００４１】
その際、回線監視装置１２では、以前に接続されいた別の断線感知対応端末４についての古いＩＤ情報が、未だその論理チャネル番号に対応付けられていた場合は、その古いＩＤ情報に代えて、今回の新しいＩＤ情報をその論理チャネル番号に対応し直して対応表を生成する。そして、回線監視装置１２は、この対応表に基づいて各論理チャネル７にどの断線感知対応端末４が接続されているかを管理し、これにより、第１のＩＳＤＮ回線３は断線監視状態下に置かれる。なお、一度確立された論理チャネル７は、断線感知対応端末４の配置替え等の場合を除いて、常時確立が維持される。
【００４２】
なお、第２のＩＳＤＮ回線５の断線監視については、断線監視装置８がその第２のＩＳＤＮ回線５を介してＩＳＤＮ網２の交換機１０に接続されたときから、断線監視状態下に置かれている。
【００４３】
＜第１のＩＳＤＮ回線が断線した場合の断線検知の動作およびその場合の断線監視状態の回復の動作＞
上述の断線監視状態で、例えば第１のＩＳＤＮ回線３ａが断線すると、その第１のＩＳＤＮ回線３ａ内を通る論理チャネル７ａもその断線箇所で切断される。この論理チャネル７ａの不正な切断は、第１のＩＳＤＮ回線３ａに接続する交換機９ａにより検知され、この検知を受けたＩＳＤＮ網２により、その論理チャネル７ａの接続相手である断線監視装置８に直接に接続する交換機１０から、その論理チャネル７ａを通じて、その断線監視装置８に宛てて、論理チャネル７ａの切断が正常に行われてない旨を表示したＣＩパケットが送信される。
【００４４】
そして、そのＣＩパケットを受信した断線監視装置８により、そのＣＩパケットに関するデータが多重パケット通信装置１１を通じて回線監視装置１２に送信され、それを受信した回線監視装置１２により、そのデータから論理チャネル番号が読み取られてそのＣＩパケットが論理チャネル７ａ通じて受信したことが確認されると共に論理チャネル７（つまり論理チャネル７ａ）の切断が正常に行われていないことが読み取れれる。
【００４５】
そして、回線監視装置１２により、上述の対応表に照らし合わされて、その論理チャネル７ａに対応したＩＤ情報が検索され、例えば検索されたＩＤ情報からその論理チャネル７ａに接続された断線感知対応端末４ａが特定されることで、切断された第１のＩＳＤＮ回線３ａが特定されて、その第１のＩＳＤＮ回線３ａにおいて断線が生じた旨の信号が断線感知対応機能１４に送信される。そして上位のシステム１４によって第１のＩＳＤＮ回線３ａにおいて断線が生じた旨が報知されて第１のＩＳＤＮ回線３ａの断線が復旧されることとなる。
【００４６】
他方、断線感知対応端末４ａでは、その第１のＩＳＤＮ回線３ａにおいて断線が生じた旨が検知されており、検知された時点から、ＩＤパケットが断線監視装置８に定期的に送信されている。そして、第１のＩＳＤＮ回線３ａの断線が復旧されると共にそのＩＤパケットが断線監視装置８に受信される。これにより論理チャネル７ａが再度確立される。そして、断線監視装置８では、受信したＩＤパケットが多重パケット通信装置１１を介して回線監視装置１２に送くられ、回線監視装置１２において、ＩＤパケットから得られるＩＤ情報と論理チャンネル番号とが対応付けられて対応表が生成され管理されている。
【００４７】
その際、回線監視装置１２において、再度確立された論理チャネル７ａの論理チャネル番号が、再確立前の論理チャネル番号と同じ番号である場合は、その論理チャネル番号に対応する再確立前の古いＩＤ情報を、その再確立時に受信したＩＤパケットから得た新たなＩＤ情報に対応させ直して管理されるが、再度確立された論理チャネル７ａの論理チャネル番号が、再確立前の論理チャネル番号と異なる番号になった場合は、論理チャネル７ａの再確立時に受信したＩＤパケットから得た新たなＩＤ情報と新たな論理チャネル番号とを対応させて新たに管理し直される。これにより断線監視状態が回復する。
【００４８】
これに平行して、断線監視装置８では、そのＩＤパケットの受信に対する応答パケットが、そのＩＤパケットを受信した論理チャネル７ａを通じて多重パケット通信装置１１を介して断線感知対応端末４ａに送信されている。そして、断線感知対応端末４ａでは、その応答パケットの受信をもって、ＩＤパケットの送信が終了される。
【００４９】
＜第２のＩＳＤＮ回線が断線した場合の断線検知の動作およびその場合の断線監視状態の回復の動作＞
上述の断線監視状態で、例えば第２のＩＳＤＮ回線５が断線すると、その断線は、断線した第２のＩＳＤＮ回線５に接続する多重パケット通信装置１１により検知され、検知した多重パケット通信装置１１から、その多重パケット通信装置１１の識別信号と共に断線が生じた旨の信号が回線監視装置１２に送信される。
【００５０】
回線監視装置１２では、その識別信号から、断線を検知した多重パケット通信装置１１が特定され、どの多重パケット通信装置１１に接続する第２のＩＳＤＮ回線５において断線が生じたのかが上位のシステム１４に送信される。そして上位のシステム１４によって、その第２のＩＳＤＮ回線５において断線が生じた旨が報知されて、その第２のＩＳＤＮ回線５の断線が復旧されることとなる。
【００５１】
他方、ＩＳＤＮ網２では、断線した第２のＩＳＤＮ回線５に接続する交換機１０によって、その第２のＩＳＤＮ回線５において各論理チャネル７が不正に切断されたことが検知され、切断した各論理チャネル７の接続相手である各断線感知対応端末４に直接に接続する交換機９から、その論理チャネル７を通じて、各断線感知対応端末４に、その論理チャネル７の切断が正常に行われていない旨を表示したＣＩパケットが送信される。そして、各断線感知対応端末４では、そのＣＩパケットを受信した時点から、ＩＤパケットを断線監視装置８に定期的に送信している。そして、第２のＩＳＤＮ回線５の断線が復旧されると共にそのＩＤパケットが断線監視装置８に受信される。これにより各論理チャネル７が再度確立される。そして、断線監視装置８では、受信したＩＤパケットが多重パケット通信装置１１を介して回線監視装置１２に送くられ、回線監視装置１２において、ＩＤパケットから得られるＩＤ情報と論理チャンネル番号とが対応付けられて管理される。
【００５２】
その際、回線監視装置１２において、再度確立された論理チャネル７の論理チャネル番号が、再確立前の論理チャネル番号と同じ番号である場合は、その論理チャネル番号に対応する再確立前の古いＩＤ情報を、その再確立時に受信したＩＤパケットから得た新たなＩＤ情報に対応させ直して管理されるが、再度確立された論理チャネル７の論理チャネル番号が、再確立前の論理チャネル番号と異なる番号になった場合は、論理チャネル７の再確立時に受信したＩＤパケットから得た新たなＩＤ情報と新たな論理チャネル番号とを対応させて新たに管理し直される。これにより断線監視状態が回復する。
【００５３】
これに平行して、断線監視装置８では、そのＩＤパケットの受信に対する応答パケットが、そのＩＤパケットを受信した論理チャネル７を通じて多重パケット通信装置１１から断線感知対応端末４に送信されている。そして、断線感知対応端末４では、その応答パケットの受信をもって、ＩＤパケットの送信が終了される。
【００５４】
以上のように構成されたＩＳＤＮ回線の断線検知システム１によれば、断線感知対応端末４と断線監視装置８とは、パケット交換網上の相手先選択接続によりＩＳＤＮ網２に接続され、パケット交換網上の論理チャネル７を通じて互に回線が接続されるため、断線感知対応端末４及び断線監視装置８をＩＳＤＮ網２に接続する際の接続作業及び接続の為のＩＳＤＮ網２に対して行う設定が、従来の専用回線で接続する場合と比べて大幅に軽減でき、これにより断線感知対応端末４等の機器の配置替えや、新たな断線感知対応端末４の当該断線検知システム１への追加を容易に行うことができる。
【００５５】
更に、各断線感知対応端末４に対して、上記論理チャネル７を通じて自己端末に関するＩＤ情報を格納したＩＤパケットを断線監視装置８に送信させ、断線監視装置８では、このＩＤ情報に基づいて各論理チャネル７にどの断線感知対応端末４が接続しているかを認識させているため、従来の専用回線を用いなくても各論理チャネル７の接続相手を特定することができる。
【００５６】
更に、ＩＳＤＮ網２から論理チャネル７を通じて送信されるＣＩパケットを活用して、即ちＩＳＤＮ網２のＤチャネルパケットサービスを活用して、第１のＩＳＤＮ回線３において断線が生じたか否かを検知しているため、断線検知のためのシステムの開発や設備にかかるコストを抑えることができる。
【００５７】
更に、ＩＳＤＮ網２のパケット交換網を活用しているため、各断線感知対応端末４と断線監視装置８との間で論理チャネル７を常時確立してもその為の通信コストが余りかからないので、低コストで断線の検知を行うことができる。
【００５８】
更に、ＩＳＤＮ網２のパケット交換網を活用しているため、断線監視用の回線と防犯カメラにより撮影された画像の画像送信用の回線とを共用することができ、これによっても通信コストを全体的に軽減することができる。
【００５９】
更に、断線監視装置８では、第２のＩＳＤＮ回線５毎に多重パケット通信装置１１を接続してパケットの送受信を行っているため、ＩＳＤＮ網２に断線感知対応端末４が多数接続されても、混線することなく迅速に各断線感知対応端末４から送信される情報を処理できる。
【００６０】
更に、各断線感知対応端末４は、その断線感知対応端末４と接続する第１のＩＳＤＮ回線３における断線を検知する機能を有し、その断線を検知すると、断線監視装置８との間で論理チャネル７が確立するまで定期的に、断線監視装置８にパケットを送信するため、断線が起こってもその断線が復旧した後、自動的に論理チャネル７が再確立されて自動的に断線監視状態に戻ることができてシステムの管理が行い易い。
【００６１】
更に、断線監視装置８では、回線監視装置１２において、各論理チャネル７を通じて新たなＩＤパケットを受信する毎に、その新たなＩＤパケットから得られる新たなＩＤ情報を、その論理チャネル７に対応させ直して管理するため、例えば断線感知対応端末４の配置換えによりその論理チャネル７に接続される断線感知対応端末４が前回と異なる端末に変わっても、それに応じて自動的に正しくその論理チャネル７に接続される断線感知対応端末４を認識でき、システムの管理が行い易い。
【００６２】
更に、断線感知対応端末４は、ＩＳＤＮ網２から論理チャネル７を通じて送信されるＣＩパケットを受信すると、そのＣＩパケットから、その論理チャネル７の切断が正常に行われたのか否かを読み取り、正常に行われたものではない場合は、第２のＩＳＤＮ回線５において断線が生じたと判断し、断線監視装置８との間で論理チャネル７が確立するまで、ＩＤパケットを断線監視装置８に定期的に送信するため、断線が起こってもその断線が復旧した後、自動的に論理チャネル７が再確立されて自動的に断線監視状態に戻ることができてシステムの管理が行い易い。
【００６３】
更に、断線感知対応端末４は、断線が生じたときに、ＩＤパケットを断線監視装置８に送信するため、論理チャネル７が再度確立した毎に、そのＩＤパケットに格納されたＩＤ情報により、その論理チャネル７の接続相手を確認することができ、これにより正しくどの論理チャネル７にどの断線感知対応端末４が接続されているかを管理することができる。
【００６４】
なお、この実施形態では、ＩＳＤＮ回線の断線検知システムを防犯監視システム１に適用した場合で説明したが、その適用対象を防犯監視システムに限定するものではない。
【００６５】
【発明の効果】
請求項１に記載の発明によれば、断線感知対応端末と断線監視装置とは、パケット交換網上の相手先選択接続によりＩＳＤＮ網に接続され、パケット交換網上の論理チャネルを通じて互に回線が接続されるため、断線感知対応端末及び断線監視装置をＩＳＤＮ網に接続する際の接続作業及び接続の為にＩＳＤＮ網に対して行う設定が、従来の専用回線で接続する場合と比べて大幅に軽減でき、これにより断線感知対応端末等の機器の配置替えや、新たな断線感知対応端末の当該断線検知システムへの追加を容易に行うことができる。
【００６６】
更に、各断線感知対応端末に対して、上記論理チャネルを通じて自己端末に関する所定情報を断線監視装置に送信させ、断線監視装置では、この所定情報に基づいて各論理チャネルにどの断線感知対応端末が接続しているかを認識させているため、従来の専用回線を用いなくても各論理チャネルの接続相手を特定することができる。
【００６７】
更に、ＩＳＤＮ網から論理チャネルを通じて断線監視装置に送信されるその論理チャネルに関する切断情報を活用することにより、ＩＳＤＮ回線において断線が生じたか否かを検知しているため、断線検知のためのシステムの開発や設備にかかるコストを抑えることができる。
【００６８】
更に、ＩＳＤＮ網のパケット交換網を活用することにより、各断線感知対応端末と断線監視装置との間で論理チャネルを常時確立しても、その為のコストが余りかからないため、低コストで断線の検知を行うことができる。
【００６９】
請求項２に記載の発明によれば、断線監視装置は、第２のＩＳＤＮ回線毎に接続されて、複数の断線感知対応端末に対してパケット交換網上の送受信を行う能力を有する多重パケット通信装置を備えるため、ＩＳＤＮ網に断線感知対応端末が多数接続されても、混線することなく迅速に各断線感知対応端末から送信される情報を処理できる。
【００７０】
請求項３に記載の発明によれば、各断線感知対応端末は、その断線感知対応端末と接続する第１のＩＳＤＮ回線における断線を検知する機能を有し、その断線を検知すると、パケット交換網を通じて断線監視装置にパケットを送信するため、断線が起こってもその断線が復旧した後、自動的に論理チャネルが再確立されて自動的に断線監視状態に戻ることができてシステムの管理が行い易い。
【００７１】
請求項４に記載の発明によれば、断線監視装置は、各論理チャネルから新たに所定情報を受信する毎にその新たな所定情報をその論理チャネルに対応させ直して管理するため、例えば断線感知対応端末の配置換えによりその論理チャネルに接続される断線感知対応端末が前回と異なる端末に変わっても、それに応じて自動的に正しくその論理チャネルに接続される断線感知対応端末を認識することができてシステムの管理が行い易い。
【００７２】
請求項５に記載の発明によれば、断線監視装置は、第２のＩＳＤＮ回線における断線を検知する機能を有し、その断線を検知すると、その第２のＩＳＤＮ回線において断線が生じた旨の信号を所定のシステムに送信するため、第１のＩＳＤＮ回線における断線だけでなく、第２のＩＳＤＮ回線における断線についても検知することができる。
【００７３】
請求項６に記載の発明によれば、断線感知対応端末は、ＩＳＤＮ網から論理チャネルを通じて送信されてくるその論理チャネルに関する切断情報を受信すると、その切断情報から、その論理チャネルの切断が正常に終了したものか否かを読み取り、正常に終了したものではない場合は、第２のＩＳＤＮ回線において断線が生じたと判断し、断線監視装置にパケットを送信するため、断線が起こってもその断線が復旧した後、自動的に論理チャネルが再確立されて自動的に断線監視状態に戻ることができてシステムの管理が行い易い。
【００７４】
請求項７に記載の発明によれば、断線感知対応端末は、自己端末に関する所定情報を格納したパケットを断線監視装置に送信するため、その送信により論理チャネルが再度確立される毎に、その所定情報によりその論理チャネルの接続相手を確認でき、これにより正しくどの論理チャネルにどの断線感知対応端末が接続されているかを管理することができる。
【図面の簡単な説明】
【図１】この発明の第１実施形態に係るＩＳＤＮ回線の断線検知システムが適用された防犯監視システムの概略図である。
【符号の説明】
１    防犯監視システム
２    ＩＳＤＮ網
３，３ａ    第１のＩＳＤＮ回線
４    断線感知対応端末
５    第２のＩＳＤＮ回線
７，７ａ    論理チャネル
８    断線監視システム
１１  多重パケット通信装置
【図１】
0004265852.tif 000002